(57)【要約】  本発明はイヤホンとスマート機器を固定したり着脱することができ、使用者の便利な方向に回転する機能を有する結合部と、スマートフォンの重量を分散させる分散部とを備えて、使用者が移動中でも一層便利にスマート機器を利用することができるスマート機器据置用ネックレスに関する。本発明はイヤホンのレシーバーが固定可能な第１結合部と、スマート機器を着脱する第２結合部とを備えて、移動中や活動中でも一層便利にスマート機器を利用することができる。また、本発明はスマート機器の重量が首部分に加えられないように分散部を備えることができて、移動したり活動中でも使用者が気軽に利用することができる。また、本発明の据置装置は構造が簡単で、且つ嵩が大きくなくて使用者が携帯するのに便利である。また本発明のネックレスには着脱が可能であり、スマートフォンと使用者の間の距離や角度が調節可能な据置台を装着することができて、地下鉄などでスマート機器を使用する時首が過度に下げられ、腕が痛く、手に持続的に持っていなければならないという不便を解決することができる。
2017521023.tif 000002
【特許請求の範囲】
【請求項１】
ボディーを形成するネックレス紐と、
前記ネックレス紐と連結される結合部と、
前記ネックレス紐に沿って位置するイヤホンと、を含み、
前記結合部はスマート機器を着脱及び回転させる第２結合部を含むことを特徴とするスマート機器据置用ネックレス。
【請求項２】
前記結合部はイヤホンのレシーバーが固定可能な第１結合部を含むことを特徴とする請求項１に記載のスマート機器据置用ネックレス。
【請求項３】
前記第１結合部は前記第２結合部の両端に締結され、前記第２結合部と前記第１結合部との間に第１回転手段が備えられて、第２結合部が回動されることを特徴とする請求項２に記載のスマート機器据置用ネックレス。
【請求項４】
前記第１結合部は前記イヤホンレシーバーが固定される孔を含むことを特徴とする請求項２に記載のスマート機器据置用ネックレス。
【請求項５】
前記第２結合部はスマート機器に付着された締結付属と結合されるカップリング部と、
前記カップリング部を回転させるかまたは前記締結付属を回転させる第２回転手段とを含むことを特徴とする請求項１に記載のスマート機器据置用ネックレス。
【請求項６】
前記第２結合部は、
スマート機器の両側面を圧着して固定する締結部と、
前記締結部を回転させる第２回転手段とを含むことを特徴とする請求項１に記載のスマート機器据置用ネックレス。
【請求項７】
前記第１回転手段または第２回転手段は回転ボール、回転ピンまたは回転体であることを特徴とする請求項３、５、６の中の何れか一項に記載のスマート機器据置用ネックレス。
【請求項８】
前記スマート機器の締結付属がリング構造である場合、第２結合部はスマート機器のリングが挿入されたり嵌められるカップリング部と、
前記カップリング部で延長された突出部と、
前記突出部に締結される固定部とを備えることを特徴とする請求項５に記載のスマート機器据置用ネックレス。
【請求項９】
前記カップリング部はスマート機器に付着された締結付属とワンタッチ結合され、前記第２結合部は前記カップリング部を固定する支持部を備えるが、前記第２回転手段は前記カップリング部と支持部との間に形成されて前記カップリング部を回転させることを特徴とする請求項５に記載のスマート機器据置用ネックレス。
【請求項１０】
前記カップリング部は、
スマート機器の締結付属に形成された係止突起が挿入固定される係止溝と、
前記係止溝を開閉または固定するバー（ｂａｒ）と、
外力によって移動された前記バー（ｂａｒ）を原位置に復元させる弾性部とを備えることを特徴とする請求項９に記載のスマート機器据置用ネックレス。
【請求項１１】
前記カップリング部は
スマート機器の締結付属溝に挿入固定される係止突起と、
前記係止突起を固定するバー（ｂａｒ）と、
外力によって移動された前記バー（ｂａｒ）を原位置に復元させる弾性部とを備えることを特徴とする請求項９に記載のスマート機器据置用ネックレス。
【請求項１２】
前記締結部は、
左右にスライディングされ、端部に係止突起が形成された安着部と、
前記安着部に復元力を提供する弾性部とを含む特徴とする請求項６に記載のスマート機器据置用ネックレス。
【請求項１３】
前記締結部がスマート機器の両側面を圧着する挟み構造であることを特徴とする請求項６に記載のスマート機器据置用ネックレス。
【請求項１４】
前記締結部は、
左右にスライディングされ、端部に係止突起が形成され、反対側に位置する二つの安着部と、
前記二つの安着部が同じ距離にスライディングするように移動距離を制御するピニオンと、
前記安着部に復元力を提供する弾性部とを含むことを特徴とする請求項６に記載のスマート機器据置用ネックレス。
【請求項１５】
前記締結部は左右にスライディングされ、端部に係止突起が形成され、反対側に位置する二つの安着部と、
前記係止突起に付着された弾性圧着部と、
前記二つの安着部が同じ距離にスライディングするように移動距離を制御するピニオンと、
前記ピニオンの回転を制御する固定ピンと、
前記安着部に復元力を提供する弾性部とを含むことを特徴とする請求項６に記載のスマート機器据置用ネックレス。
【請求項１６】
前記ネックレスは前記スマートフォンを据置する場合発生する重量を分散させる分散部を含み、前記分散部は所定長さを有し、一端はネックレス紐に結合され、他端には締結具が形成されたことを特徴とする請求項１に記載のスマート機器据置用ネックレス。
【請求項１７】
前記ネックレスは前記ネックレス紐とイヤホンの電線の一部を覆って保護し、ラウンド形状を有する掛け部を含むことを特徴とする請求項１に記載のスマート機器据置用ネックレス。
【請求項１８】
前記ネックレスは長さ調節が可能なマイクが前記掛け部に形成され、前記マイクの支持台及び連結電線が前記掛け部の内部から外部に移動可能であることを特徴とする請求項１７に記載のスマート機器据置用ネックレス。
【請求項１９】
前記イヤホンの一面が前記ネックレス紐の一面に沿って長さ方向に結合または分離されてもつれることが防止されることを特徴とする請求項１に記載のスマート機器据置用ネックレス。
【請求項２０】
前記ネックレスは着脱可能な据置台をさらに含み、
前記据置台は、
前記第２結合部と締結されるか、前記第２結合部を固定する第１コネクタ部と、
スマート機器の締結付属と締結されるか、前記結合部を固定する第２コネクタ部と、
前記第１コネクタ部と第２コネクタ部との間に形成され、回転、角度または長さ調節が可能な変形部とを備えることを特徴とする請求項１に記載のスマート機器据置用ネックレス。
【請求項２１】
前記第１コネクタ部または第２コネクタ部は第２締結部またはスマート機器の締結付属とワンタッチ結合されるカップリング構造であるか挟み構造であることを特徴とする請求項２０に記載のスマート機器据置用ネックレス。
【発明の詳細な説明】
【技術分野】
【０００１】
本発明はスマート機器据置用ネックレスに関し、より詳しくは、イヤホン、スマート機器、スマート機器とネックレスを固定したり着脱することができる結合部、スマートフォンの重量を分散させる分散部及び位置調節用据置台を備えることができ、使用者が移動中でもより便利にスマート機器を利用することができるスマート機器据置用ネックレスに関する。
【背景技術】
【０００２】
最近、技術ＩＴ技術の急速な発達に伴い、これらスマート機器に多様な機能が追加されている。スマート機器と周辺機器を使用者の体に付着または密着させて即刻的な便宜を提供するために着用可能な状態で作られる成り行きである。
【０００３】
このような成り行きに伴って本発明は従来のスマート機器を着用可能にデバイス化して携帯性と使用上の便宜性を同時に高め、これから両手を自由にする。また、スマートフォンを耳にあてて通話する時、電磁波による脳腫瘍の発生可能性が高いという研究結果があるが、今までは無線ハンズフリーを使用する以外に解決方法がなかった。本発明はこのような電磁波による健康上の問題点に対する代案になる。
【０００４】
一般的に個人が携帯して通話、ゲーム、インターネットサーフィンや本を読むスマート機器（スマートフォン、ゲーム機、電子本など）の使用がさらに活発になっているが、スマート機器に多様な機能が追加され、ますます大きい画面が装着されるにつれてスマート機器の嵩と重量が増加する。結果的に消費者は携帯及び操作に不便を感じていることが現実である。両手でスマート機器を持つと、人体の関節構造上首が下がりすぎて不便であり、手が不自由であるという煩雑さがあった。そして移動中に検索、通話、ゲームなどが可能であるというスマート機器の最大の長所が退色されている。
【０００５】
韓国公開特許２００２−３６０７９号には帯部材、ハンズフリー手段、収納手段及び連結手段を備えた携帯電話用ハンドフリーを備えたネックレスが開示されている。上記公開特許はイヤホンの信号送信線がもつれなく巻き取られる構造を開示しているが、使用者が移動中にスマート機器をハンズフリー状態で操作することができる装置を提供するのではない。韓国登録実用新案２０−４６２２４４号には携帯電話を安置溝に挟んで用いることができるネックレス形態の携帯電話据置装置を開示している。上記実用新案は移動中に両手を自然に使うことができる据置装置を開示しているが、上記据置装置は携帯電話の両側面を挟んで固定する構造であるため、結果的に上記据置装置は携帯電話の大きさ以上の嵩を有することになり、使用者がこれを携帯することが非常に難しいという問題点があり、また、上記据置装置に携帯電話を固定すれば重心が前方に集中して首に大きい力が加えられるという問題点が提起される。
【発明の概要】
【発明が解決しようとする課題】
【０００６】
本発明は常に、特に移動中や活動中にも一層便利にスマート機器を利用することができる最も便利な位置に着用させて即刻的な使用が可能なネックレスタイプのスマート機器据置装置を提供することにある。本発明は従来のスマート機器を着用可能にデバイス化して携帯性及び使用性を同時に高め、使用者の両手を自由にすることにある。
【０００７】
本発明はスマート機器の使用時に電磁波による危害を最小化することができるスマート機器据置装置を提供することにある。
【０００８】
さらに、本発明はスマート機器を着用しても首に無理な力が加えられないスマート機器据置装置を提供することにある。
【０００９】
本発明は着脱可能な別途の据置台を装着して視覚的距離や角度を調節して地下鉄などで使用時に首が過度に下げられることを改善し、手で持っていなければならないという不便を解決することにある。
【００１０】
本発明はスマート機器をネックレスに容易に着脱し、活動時にも揺れることを最小化することができ、また、首にかけた状態で左右上下内外側（内側、外側）方向の転換が自由で、据置位置を自由に調整することができるスマート機器据置装置を提供することにある。
【００１１】
本発明はスマート機器に連結されるイヤホンを固定してイヤホン線がもつれることを防止することができ、イヤホン線をネックレス紐に固定して見掛けをきれいにするスマート機器据置装置を提供することにある。
【課題を解決するための手段】
【００１２】
本発明の一つの様相は、ボディーを形成するネックレス紐と、
上記ネックレス紐と連結される結合部と、
上記ネックレス紐に沿って位置するイヤホンとを含み、
上記結合部はイヤホンのレシーバーが固定可能な第１結合部及びスマート機器を着脱及び回転させる第２結合部とを含むスマート機器据置用ネックレスに関する。
【発明の効果】
【００１３】
本発明はイヤホンのレシーバーが固定可能な第１結合部及びスマート機器を着脱する第２結合部とを備えて、常に、特に移動中や活動中にも一層便利にスマート機器を利用することができる。また、本発明はスマート機器の重量が首部分に加えられないように分散部を備えることができて、移動したり活動中にも使用者が気軽に利用することができる。また、本発明の据置装置は構造が簡単で、且つ嵩が大きくなくて使用者が携帯するのに便利である。また、本発明のネックレスには着脱が可能で、スマートフォンと使用者の間の距離や角度の調節が可能な別途の据置台を装着することができて、地下鉄などでスマート機器を使用する際に首が過度に下げられ、腕が痛く、手で持続的に持っていなければならないという不便を解決することができる。
【図面の簡単な説明】
【００１４】
【図１】本発明の一実施例によるスマート機器据置用ネックレスを示した図である。
【図２】図１の結合部を拡大して示した図である。
【図３】本発明の結合部の他の具現例を示した図である。
【図４】本発明の結合部の他の具現例を示した図である。
【図５】本発明の結合部の他の具現例を示した図である。
【図６】本発明の結合部の他の具現例を示した図である。
【図７】本発明の結合部の他の具現例を示した図である。
【図８】本発明の結合部の他の具現例を示した図である。
【図９】図４〜図７の結合部にスマート機器を装着した状態を示す図である。
【図１０】位置調節用据置台の具現例を示す図である。
【図１１】位置調節用据置台の具現例を示す図である。
【図１２】位置調節用据置台の具現例を示す図である。
【図１３】位置調節用据置台の具現例を示す図である。
【図１４】位置調節用据置台の具現例を示す図である。
【発明を実施するための形態】
【００１５】
以下、添付図面を参照して本発明の実施例を詳しく説明する。本発明の実施例を説明するにおいて、係わる公知機能または構成に対する具体的な説明が本発明の要旨を曖昧にすることができると判断される場合にはその詳細な説明を省略する。また、後述される用語は本発明での機能を考慮して定義された用語として、これは使用者、運用者の意図または慣例などによって異なることができる。従って、その定義は本明細書全般にかける内容に基づいて定めるべきである。
【００１６】
図１は本発明の一実施例によるスマート機器据置用ネックレスを示す図であり、図２は図１の結合部を拡大して示した図であり、図３〜図６は本発明の結合部の他の具現例を示した図である。図１〜図６によれば、本発明のスマート機器据置用ネックレスはネックレス紐１０、結合部２０、イヤホン３０を含む。
【００１７】
上記ネックレス紐１０は使用者が首にかけることができるように環状に（人体工学的構造）形成されることができ、天然ゴム、柔軟性織物、合成樹脂、皮または金属または非金属ワイヤなどからなることができる。
【００１８】
上記結合部２０は上記ネックレス紐と連結（締結）される。
【００１９】
上記結合部２０はイヤホン３０のレシーバー３２が固定可能な第１結合部２１及びスマート機器を着脱及び回転させる第２結合部２２を含む。
【００２０】
上記第１結合部２１は上記第２結合部２２の両端に締結されることができる。即ち、第２結合部２２は二つの第１結合部２１を連結し、上記第２結合部２２と記第１結合部２１との間に第１回転手段２３が備えられて第２結合部が回動されることができる。
【００２１】
上記第１結合部２１は上記イヤホンレシーバー３１が固定される孔２１１を備えることができる。
【００２２】
上記孔２１１の内側は上記イヤホンレシーバー３１が挿入された後容易に分離されないように、例えば、摩擦力の高い素材、弾性を有する物質で形成されるか、これらを含むことができる。上記レシーバー３１が孔に固定及び脱着される方式に特に制限がない。例えば、上記孔はレシーバーに圧着されるか、磁力によって固定される場合に着脱が容易である。
【００２３】
上記第２結合部はスマート機器に付着された締結付属Ａ、Ｂ、Ｃとこれと結合されるカップリング部とを含む。
【００２４】
上記締結付属はスマート機器やスマート機器ケースの裏面に接着またはリベット、ボルト、ピンなどで付着されることができる。また、上記締結付属は回転及び折れなどが可能な構造を用いることができる。例えば、上記締結付属は後述する本発明の第２結合部の回転手段のように回転機能を備えることができ、締結付属はリング型及びワンタッチ型構造であることができる。
【００２５】
図２は上記スマート機器の締結付属がリング構造Ａの場合、結合部２０を拡大して示した図である。
【００２６】
図２によれば、上記第２結合部２２は、リングＡが挿入されたり嵌められるカップリング部２２１と、上記カップリング部２２１で延長された突出部２２２とを含む。上記第１結合部には上記突出部２２２が挿入固定される固定部２２５が形成される。
【００２７】
上記第２結合部２２と上記第１結合部２１との間に第１回転手段２３が備えられる。上記第１回転手段２３としては回転ボール、回転ピンまたは回転体が用いられることができる。図２には第１回転手段として回転ピンが図示されている。図２によれば、上記第１回転ピンはピンの両端にヘッドを備えてピンの離脱と回転を制御する。図５によれば、第１回転手段３２３が上記第２結合部３２２を貫通し、上記回転手段３２３の両端にヘッドを利用してピンの離脱と回転を制御する。
【００２８】
図２によれば、上記据置用リングＡは円形または多角形のリング、例えば円形のリング、円形と多角形の組合形状のリング、三角形状のリング、四角形状のリング、６角形状のリング、８角形状などの多角形状のリングであることができる。また、上記据置用リングＡとこれに対応するように締結されるカップリング部２２１は据置用リングＡと同じ形状を含む。
【００２９】
図２にスリットが形成されたカップリング部２２１`が示されている。これに対応する据置用リングＡには上記スリットに挿入される突起が形成されることができる。上記突起がスリットに嵌められることによって安定的にスマート機器が固定されることができ、回転を容易にすることができる。また通話ボタンとボリューム調節ボタンなどは公知の技術を利用することができる。
【００３０】
図３、図４は本発明の結合部の他の具現例を示した図である。
【００３１】
図３〜図４によれば、上記結合部１２０、２２０は第１結合部１２１、２２１及び第２結合部１２２、２２２を含む。図３〜図４の場合にも上記第２結合部１２２、２２２と上記第１結合部１２１、２２１との間に第１回転手段（図示しない）が備えられる。上記第１回転手段（図示しない）は上記図２の第１回転手段２３と同様に形成することができる。
【００３２】
上記第２結合部１２２、２２２は上記カップリング部１２２１、２２２１を固定する支持部１２２２、２２２２を備えることができる。
【００３３】
上記スマート機器と直接結合されるカップリング付属Ｂ、Ｃに第２回転手段１２４、２２４を含むか、上記カップリング部１２２１、２２２１と支持部１２２２、２２２２との間に形成されて上記カップリング部１２２１、２２２１を回転させることができる。
【００３４】
上記カップリング部１２２１、２２２１はスマート機器に付着された締結付属Ｂ、Ｃとワンタッチで着脱されることができる。
【００３５】
図５、図６、図７、図８は本発明の結合部のまた他の具現例を示した図である。
【００３６】
図５、図６、図７、図８によれば、スマート機器に直接付着される締結付属Ａ、Ｂ、Ｃを用いることなく上記結合部３２０、４２０、５２０、６２０とスマート機器が直接締結される。
【００３７】
上記結合部３２０、４２０、５２０、６２０で第２回転手段２４は上記締結部３２２１、４２２１、５２２１、６２２１と支持部３２２２、４２２２、５２２２、６２２２との間に形成されて上記締結部３２２１、４２２１、５２２１、６２２１を回転させることができる。
【００３８】
上記第１回転手段３２３、４２３と第２回転手段３２４、４２４が図５及び図６に示されているが、上記構造と同じ回転ピン（機能）を図３、図４、図７、図８の実施例でも同様に用いることができる。
【００３９】
上記第２回転手段３２４、４２４、６２４として公知の回転ボールまたは回転体が用いられることができる。
【００４０】
図３によれば、上記カップリング部１２２１はスマート機器の締結付属Ｂに形成された係止突起Ｂ１が挿入固定される係止溝１２２３、上記係止溝を開閉するバー（ｂａｒ）１２２４及び外力によって移動される上記バー（ｂａｒ）を原位置に復元する弾性部１２２５を備えることができる。
【００４１】
図４によれば、上記カップリング部２２２１はスマート機器の締結付属Ｃ１に挿入固定される係止突起２２２３、上記係止突起を固定するバー（ｂａｒ）２２２４及び外力によって移動された上記バー（ｂａｒ）を原位置に復元する弾性部２２２５を備えることができる。
【００４２】
図５によれば、上記結合部３２０は第１結合部３２１、第２結合部３２２、第１回転手段３２３を含む。
【００４３】
第２結合部３２２は上記スマート機器の両側面を圧着して固定する締結部３２２１、上記締結部３２２１を固定する支持部３２２２及び上記締結部を回転させる第２回転手段３２４を含むことができる。
【００４４】
上記締結部３２２１は左右にスライディングされ、端部に係止突起３２２５が形成された安着部３２２３及び上記安着部に復元力を提供する弾性部３２２４を含む。
【００４５】
図６によれば、上記結合部４２０は第１結合部４２１、第２結合部４２２及び第１回転手段４２３を含む。第２結合部４２２は上記スマート機器と着脱される締結部４２２１、上記締結部が固定される支持部４２２２及び上記締結部を回転させる第２回転手段４２４を含むことができる。
【００４６】
上記締結部４２２１は左右にスライディングされ、端部に係止突起４２２５が形成され、反対側に位置する二つの安着部４２２３、上記二つの安着部が同距離にスライディングするように移動距離を制御するピニオン４２２７及び上記ピニオンと噛み合って左右にスライディングされ、一端が上記安着部と結合されたスライティングバー４２２６及び上記安着部にスマート機器を支持することができる復元力を提供する弾性部４２２４を含む。
【００４７】
図７によれば、上記結合部５２０は第１結合部５２１、第２結合部５２２及び第１回転手段（図示しない）を含む。第２結合部５２２は上記スマート機器と着脱される締結部５２２１、上記締結部が固定される支持部５２２２及び上記締結部を回転させる第２回転手段（図示しない）を含むことができる。
【００４８】
上記締結部５２２１は左右にスライディングされ、端部に係止突起５２２５にはスマート機器を安定的に支持するために弾性を有する物質５２３０を備え、反対側に位置する二つの安着部５２２３、上記二つの安着部が同距離にスライディングするように移動距離を制御するピニオン５２２７及び上記ピニオンと噛み合って左右にスライディングされ、一端が上記安着部と結合されたスライティングバー５２２６及び上記安着部にスマート機器を分離することができる力を提供する弾性部５２２４を含む。上記締結部５２２１は上記ピニオン５２２７の回転を制御する固定ピン５２２８を含む。上記固定ピン５２２８は上記ピニオンと同軸で結合されたギア５２２９の鋸歯溝に引入または離脱されてピニオンの回転を制御することができる。
【００４９】
図６及び図７によれば、上記ネックレスは二つの安着部が同距離にスライディングするように移動距離を制御することができてスマート機器を第２結合部の中央に位置させることができる。
【００５０】
図８によれば、上記結合部６２０は第１結合部６２１、第２結合部６２２、第１回転手段６２３及び第２回転手段６２４を含む。
【００５１】
上記第２結合部６２２は上記スマート機器の両側面を圧着する挟み部６２２１を含むことができる。
【００５２】
上記挟み部６２２１は上記第２結合部に固定されてスマート機器を圧着して固定することができる。上記挟み部６２２１は簡単な構造であり、特にスマート機器に別途の締結付属がない場合にも固定することができて効果的である。
【００５３】
上記スマート機器据置用ネックレスは掛け部４０をさらに含むことができる。上記掛け部４０は上記ネックレス紐とイヤホンの電線の一部を覆って保護し、マイクを内蔵することができ、ネックレスの長さを調節する機能を追加することができ、首に掛ける時左右に揺れることを防止し、衝撃を吸収して着用安定性を高めることができる。上記掛け部４０は首と肩の人体ラインと対応するラウンド状を有することが好ましい。
【００５４】
上記掛け部４０は天然ゴム、柔軟性織物、合成樹脂、纎維、皮、金属または非金属ワイヤなどからなることができる。
【００５５】
上記スマート機器据置用ネックレスは上記スマートフォンを据置する場合に発生する重量を分散させる分散部５０を含むことができる。
【００５６】
図１によれば、上記分散部５０は所定長さを有し、一端はネックレス紐１０または掛け部４０に結合され、他端には締結具５１、５１`が形成されることができる。上記分散部５０はベルト、紐、帯（ストラップ）形態で、使用者の背中や腰側に延長されて使用者の下着のベルトラインやベルト、ベルトフックなどに固定されることができる。上記分散部５０は図１のように一つの帯で形成されることができ、一つ以上の紐、帯またはベルトで形成されることができ、１字、１１字、Ｘ字、Ｙ字、逆Ｙ字形態であることができる。
【００５７】
上記締結具５１、５１`は好ましくは挟み構造または安全フック構造であることができる。上記締結具５１、５１`が使用者のベルトラインやベルトフックに固定される場合、スマート機器の重量を分散部とベルトが収容するようになるので使用者の首に加えられる大部分の力をベルトや、下衣の重量を通じて自然に分散させることができる。
【００５８】
本発明のスマート機器据置用ネックレスは長さ調節が可能なマイク６０を含むことができる。図１によれば、上記マイク６０は上記掛け部５０の内側に一部が位置することができて、使用者が上記マイクの長さを任意に調節することができる。上記マイク６０は所定位置に固定可能なボールヘッド方式であることができる。
【００５９】
上記スマート機器据置用ネックレスはスマート機器に接続されるイヤホンジャック３４を含み、また、上記イヤホン線３２を上記ネックレス紐１０に密着固定する締付部７０を備えることができる。
【００６０】
本発明のネックレスは上記ネックレス紐１０の一面とこれに対応する上記イヤホン線３１の一面に雄雌構造方式の着脱構造を備えることができる。
【００６１】
より具体的に、上記着脱構造は何れの一方面（例えば、イヤホン線）には溝が形成され、対応する他の一方面（例えばネックレス紐）には上記溝に挟まれる突出部が形成され、これらの間の圧着による結合と分離は上記締付部７０の移動を通じて行われることができる。
【００６２】
図９は図４〜図７に示す結合部にスマート機器を装着した状態を示す。図９によれば、本発明のネックレスはスマート機器を倒したり立てた場合にも内方や外方へ自由に据置位置を調節することができる。
【００６３】
上記スマート機器据置用ネックレスは位置調節用据置台８０をさらに含むことができる。図１０〜図１４は上記位置調節用据置台の具現例を示す。
【００６４】
図１０〜図１３によれば、上記位置調節用据置台８０は上記結合部２０と締結されたり上記結合部２０を固定する第１コネクタ部８１、スマート機器またはスマート機器の締結付属Ａ、Ｂ、Ｃと締結される第２コネクタ部８２及び上記第１コネクタ部と第２コネクタ部との間に形成されて、回転または長さ調節が可能な変形部８３を含む。
【００６５】
図１１によれば、第１コネクタ部８１は上記結合部２０が位置して固定されることができる溝構造に形成されることができる。上記溝構造は上記結合部の形状によって変形可能である。
【００６６】
上記第２コネクタ部８２はスマート機器の結合部、例えばリング構造の締結付属を固定することができる。上記第２コネクタ部８２には上記締結付属のリングが挿入されることができるスリット８２２、上記リングの形態と対応する形態を成してスリット８２２を押して装着、固定することができ、再び押して分離することができる構造ｏｎ−ｏｆｆ方式の締結構造が形成になることができる。
【００６７】
上記変形部８３は回転ピン８３１を備えて回転可能であり、また第１コネクタ部と第２コネクタ部と連結される上端及び下端のヒンジ８３２を備えて高さと角度の調節が可能である。上記変形部８３は複数の独立的な板構造が上記回転ピン８３１を通じて連結されて形成されることができる。
【００６８】
上記ヒンジ８３２や板８３１をボールヘッド８３８、８３９の構造方式で取り替えることができる。従って、本発明の上記据置台は上記変形部を通じて視線距離と角度調節が可能である。
【００６９】
図１２によれば、上記位置調節用据置台１８０は第１コネクタ部１８１、第２コネクタ部１８２及び変形部１８３を含む。
【００７０】
第１コネクタ部１８１に締結される上記結合部２０と第２コネクタ部１８２に締結されるスマート機器締結付属Ａ〜Ｃは図４とこれに対する説明を参考することができる。
【００７１】
図１３によれば、上記位置調節用据置台２８０は第１コネクタ部２８１、第２コネクタ部２８２及び変形部２８３を含む。
【００７２】
第１コネクタ部２８１に締結される上記結合部２０と第２コネクタ部１８２に締結されるスマート機器締結付属Ａ〜Ｃは図４とこれに対する説明を参考することができる。
【００７３】
上記第１コネクタ部１８１または第２コネクタ部１８２は上記第２締結部またはスマート機器の締結付属とワンタッチ結合されるカップリング構造であるか、挟み構造８２、２８５であることができる。
【００７４】
上記変形部１８３、２８３は形状の変形が自由なフレキシブルプラスチックや金属材質で形成されることができる。
【００７５】
図１４によれば、上記位置調節用据置台３８０は第１コネクタ部３８１、第２コネクタ部３８２及び変形部３８３を含む。
【００７６】
第１コネクタ部３８１に締結される上記結合部２０と第２コネクタ部３８２に締結されるスマート機器締結付属Ａ〜Ｃは図４とこれに対する説明を参考することができる。
【００７７】
本発明が属する技術分野において通常の知識を有する者は本発明の本質的な特性から逸脱しない範囲で変形された形態に具現されることができることを理解すべきである。そこで、開示された実施例は限定的な観点ではなく説明的観点から考慮すべきである。従って、本発明の範囲は前述した実施例に限定されなく、特許請求範囲に記載された内容及びそれと同等な範囲内にある多様な実施形態が含まれるように解釈すべきである。
【産業上の利用可能性】
【００７８】
本発明のネックレスは移動中や活動中にも一層便利にスマート機器を利用することができる。本発明の据置装置は構造が簡単で、嵩が大きくなくて使用者が携帯するのに便利である。
【図１】
2017521023.tif 000003
【図２】
2017521023.tif 000004
【図３】
2017521023.tif 000005
【図４】
2017521023.tif 000006
【図５】
2017521023.tif 000007
【図６】
2017521023.tif 000008
【図７】
2017521023.tif 000009
【図８】
2017521023.tif 000010
【図９】
2017521023.tif 000011
【図１０】
2017521023.tif 000012
【図１１】
2017521023.tif 000013
【図１２】
2017521023.tif 000014
【図１３】
2017521023.tif 000015
【図１４】
2017521023.tif 000016
【国際調査報告】
2017521023.tif 000017
2017521023.tif 000018
2017521023.tif 000019
2017521023.tif 000020